(57)【要約】【課題】選局時に隣接妨害などにより受信性能を確保できない場合に、受信機のＡＧＣディレイポイントのパラメータを変更することにより正常受信できるようになることがあるが、受信レベルが十分でない隣接エリアの放送波や、受信機の受信性能の実力をはるかに上回るほど大きい隣接妨害がある受信環境などでＡＧＣディレイポイントの再設定では性能改善できない場合には、効果がない以外に制御に費やす時間が長くなる。【解決手段】チャンネル選局時、受信環境に対して、受信特性変化に影響するパラメータを最適設定されるように制御し、一方でその制御の発動を別の受信特性情報に対する閾値により判定することで、各チャンネルでの不要なＡＧＣ制御をなくし、チャンネルサーチ時間を短縮できるデジタル放送受信機を提供することができる。【選択図】図１
2005130076.tif 000002
【特許請求の範囲】
【請求項１】
１チャンネル以上で構成されるデジタル放送波の入力信号から所望のチャンネル帯域信号を選択し、必要に応じて信号レベル調整を行うチューナー部と、所定の伝送路符号化によりデジタル変調されたアナログ信号からトランスポートストリーム形式のビットデータ系列信号へ戻すデジタル復調部で構成され、チャンネル選局時、受信環境に対して、第一の受信特性情報により受信特性変化に影響するパラメータを最適設定されるように制御し、一方で前記制御の発動を第二の受信特性情報と、前記受信特性情報に対する閾値との関係により判定することを特徴とするデジタル放送受信装置。
【請求項２】
前記請求項１に記載のデジタル放送受信装置において、第一の利得制御信号により入力信号の利得を調整する第一の利得制御部（以下、ＲＦＡＧＣ部と呼ぶ）と、前記利得制御された信号から所望のチャンネル帯域信号を選択し第一中間周波数信号へ周波数変換する周波数変換部と、第二の利得制御信号により前記第一の中間周波数信号の利得調整する第二の利得制御部（以下、ＩＦＡＧＣ部と呼ぶ）を具備するチューナー部と、前記第二の利得制御部の出力信号を入力信号とし、アナログからデジタルへの変換の後、同期補足および復調しトランスポートストリーム形式のビットデータ系列信号を出力するデジタル復調部と、前記デジタル復調部から受信信号に対する電力、ビットエラーレートおよびＣ／Ｎ比を求める電力換算部、ＢＥＲ換算部およびＣ／Ｎ換算部と、前記電力換算部、ＢＥＲ換算部およびＣ／Ｎ換算部の情報をもとにＲＦＡＧＣ部とＩＦＡＧＣ部への出力信号を制御する利得制御信号発生部で構成され、第一の受信特性情報はビットエラーレートであり、受信特性変化に影響するパラメータはＲＦＡＧＣ部からＩＦＡＧＣ部への制御対象ブロックの切り替えポイント設定値（以下、ＡＧＣディレイポイント設定値と呼ぶ）であり、第二の受信特性情報はＣ／Ｎ比情報であることを特徴とするデジタル放送受信装置。
【請求項３】
前記請求項１に記載のデジタル放送受信装置において、第一の利得制御信号により入力信号の利得を調整する第一の利得制御部（以下、ＲＦＡＧＣ部と呼ぶ）と、前記利得制御された信号から所望のチャンネル帯域信号を選択し第一中間周波数信号へ周波数変換する周波数変換部と、第二の利得制御信号により前記第一の中間周波数信号の利得調整する第二の利得制御部（以下、ＩＦＡＧＣ部と呼ぶ）を具備するチューナー部と、前記第二の利得制御部の出力信号を入力信号とし、アナログからデジタルへの変換の後、同期補足および復調しトランスポートストリーム形式のビットデータ系列信号を出力するデジタル復調部と、前記デジタル復調部から受信信号に対する電力、ビットエラーレートおよびＣ／Ｎ比を求める電力換算部、ＢＥＲ換算部およびＣ／Ｎ換算部と、前記電力換算部、ＢＥＲ換算部およびＣ／Ｎ換算部の情報をもとにＲＦＡＧＣ部とＩＦＡＧＣ部への出力信号を制御する利得制御信号発生部を具備し、更に前記デジタル復調部から伝送方式を判定する伝送方式判定部を具備し、第一の受信特性情報はビットエラーレートであり、受信特性変化に影響するパラメータはＲＦ／ＩＦＡＧＣ切り替えポイント設定値であり、第二の受信特性情報はＣ／Ｎ比情報であり、受信特性情報に対する閾値は伝送方式毎設定され、前記閾値は伝送情報の判定結果により決定されることを特徴とするデジタル放送受信装置。
【請求項４】
請求項１〜３に記載のデジタル放送受信装置において、受信環境に対して、受信特性変化に影響するパラメータを最適設定することで受信特性が正常復帰可能な第二の受信特性情報の値を、第二の受信特性情報に対する閾値とすることを特徴とするデジタル放送受信装置。
【発明の詳細な説明】
【技術分野】
【０００１】
本発明は、デジタル放送とアナログ放送が混在する状況下などの受信性能が劣化する環境下で、デジタル放送波に対するアナログ放送波の隣接チャンネル妨害を抑え、デジタル放送波受信性能を改善する技術を含むデジタル放送受信機に関するものである。
【背景技術】
【０００２】
国内の地上デジタル放送のチャンネル周波数帯域は従来のアナログテレビ放送に割り当てられているものと同じ帯域を使用することが決まっており、デジタル放送は従来のアナログ放送で使用されていないチャンネルで放送されることになっている。放送波のデジタル化への移行期において、このようなＯＦＤＭ方式によるデジタル放送波は従来のアナログ放送波と同時に放送されるため地上波としてはデジタル、アナログの両放送波が混在した状態となる。
【０００３】
デジタル放送波とアナログ放送波が混在した状態、たとえばデジタル放送波が送られるべきチャンネルに隣接してアナログ放送波が存在する場合では、デジタル放送波がアナログ放送波に対して妨害はとなる可能性があり、こうした状況を防ぐため、デジタル放送波はアナログ放送波よりも小さなレベルで送信されることになっている。またデジタル放送受信機には、広いレベル範囲の信号を受信できることが求められている。
【０００４】
前記のようなデジタル放送波とアナログ放送波が混在する状況において、アナログからデジタルへの混信を軽減する従来の技術として下記に示すようなものがある。
【０００５】
図７は上記従来のデジタルテレビ放送受信機の構成を示すブロック図である。入力する信号のレベルをＲＦＡＧＣ制御信号１３０により最適にするＲＦＡＧＣアンプ部１０３と、ＲＦ信号１０１から希望のチャンネルの周波数帯をＩＦ信号へ変換する周波数変換部１０４と、ＩＦ信号のレベルをＩＦＡＧＣ制御信号１３１により適正に制御するＩＦアンプ部１０５と、ＡＤ変換された時間軸の直交変調された信号をＩ軸とＱ軸の信号へ分離する直交検波部１１４と、Ｉ軸とＱ軸信号をビット系列のデジタルデータへ戻す復調部１１５と、デジタルデータに誤り訂正をかけてトランスポートストリームを出力する誤り訂正部１１６から構成される信号系と、ＩＦＡＧＣアンプ部１０５の出力信号により信号の強度を検出する信号レベル検出部１２０と誤り訂正部１１６からビットエラーレートなどの信号品質情報を算出する誤り率検出部１２２と、これら信号レベル検出部と誤り訂正検出部の情報をもとにＲＦＡＧＣ制御信号１３０とＩＦＡＧＣ制御信号１３１を生成するＡＧＣディレイポイント制御部１２３から構成される制御系からなるデジタル受信機である。
【０００６】
所定のＡＧＣディレイポイントの設定値を高くすると、雑音特性の上で有利であるが、信号レベルの高い隣接妨害波が存在するとき、著しい性能の劣化を生じる。したがって、隣接妨害波の存在するときのみ、所定のＡＧＣディレイポイントの設定値を下げれば、低雑音特性を保ちつつ、隣接妨害波の存在するときでも性能劣化はしないと言える。隣接妨害の存在の有無は、復調状態を監視することで確認できる。すなわち、隣接妨害の存在しないときは、正常に復調できるが、隣接妨害波が存在する場合は、正常に復調できないため、誤り率検出などの復調状態を監視することで間接的に隣接妨害波の存在を推定することができる。すなわち、隣接妨害波が存在する場合、存在しない場合に比べて復調信号の誤り率が悪化する。このため所定のＡＧＣディレイポイント設定を誤り率が最も低くなる値に設定することにより、隣接妨害波の影響を最小限に抑えることができ、隣接妨害の有無に関わらず低雑音特性と高隣接妨害抑圧特性と併せ持ち、かつ調整の必要がなくなる（例えば特許文献１を参照）。
【特許文献１】特開２０００−３１２２３５号公報
【発明の開示】
【発明が解決しようとする課題】
【０００７】
本方式は、ＡＧＣディレイポイントの再設定により受信性能が良好になるチャンネルでの使用は効果的である。しかし、正常受信するには受信レベルが十分でない隣接エリアの放送波や、受信機の受信性能の実力をはるかに上回るほど大きい隣接妨害がある受信環境など、ＡＧＣディレイポイントの再設定では性能改善できない場合には、効果がない以外に制御に費やす時間が長くなる。特に、放送サービスのチャンネルすべてを選局し、その地域での受信可能なチャンネル情報を検出する機能であるチャンネルサーチ時に従来の方法を利用すると、チャンネルサーチ時間が増大するという問題になる。
【０００８】
本発明では、前記の問題を解決するべくなされたもので、各チャンネルでの不要なＡＧＣ制御をなくし、チャンネルサーチ時間を短縮できるデジタル放送受信機を提供することを目的とする。
【課題を解決するための手段】
【０００９】
前記課題を解決するために、本発明のデジタル放送受信装置は、１チャンネル以上で構成されるデジタル放送波の入力信号から所望のチャンネル帯域信号を選択し、必要に応じて信号レベル調整を行うチューナー部と、所定の伝送路符号化によりデジタル変調されたアナログ信号からトランスポートストリーム形式のビットデータ系列信号へ戻すデジタル復調部で構成され、チャンネル選局時、受信環境に対して、第一の受信特性情報により受信特性変化に影響するパラメータを最適設定されるように制御し、一方で前記制御の発動を第二の受信特性情報と、前記受信特性情報に対する閾値との関係により判定することを特徴としたものである。
【発明の効果】
【００１０】
以上のように、本発明のデジタル受信装置によれば、チャンネル選局時、受信環境に対して、受信特性変化に影響するパラメータを最適設定されるように制御し、一方でその制御の発動を別の受信特性情報に対する閾値により判定することで、各チャンネルでの不要なＡＧＣ制御をなくし、チャンネルサーチ時間を短縮できるデジタル放送受信機を提供することができる。
【発明を実施するための最良の形態】
【００１１】
本発明の請求項１に記載のデジタル放送受信装置は、１チャンネル以上で構成されるデジタル放送波の入力信号から所望のチャンネル帯域信号を選択し、必要に応じて信号レベル調整を行うチューナー部と、所定の伝送路符号化によりデジタル変調されたアナログ信号からトランスポートストリーム形式のビットデータ系列信号へ戻すデジタル復調部で構成され、チャンネル選局時、受信環境に対して、第一の受信特性情報により受信特性変化に影響するパラメータを最適設定されるように制御し、一方で前記制御の発動を第二の受信特性情報と、前記受信特性情報に対する閾値との関係により判定することを特徴とし、各チャンネルでの不要なＡＧＣ制御をなくし、チャンネルサーチ時間を短縮できるデジタル放送受信機を提供することができる。
【００１２】
本請求項２に記載のデジタル放送受信装置は、前記請求項１に記載のデジタル放送受信装置において、第一の利得制御信号により入力信号の利得を調整する第一の利得制御部（以下、ＲＦＡＧＣ部と呼ぶ）と、前記利得制御された信号から所望のチャンネル帯域信号を選択し第一中間周波数信号へ周波数変換する周波数変換部と、第二の利得制御信号により前記第一の中間周波数信号の利得調整する第二の利得制御部（以下、ＩＦＡＧＣ部と呼ぶ）を具備するチューナー部と、前記第二の利得制御部の出力信号を入力信号とし、アナログからデジタルへの変換の後、同期補足および復調しトランスポートストリーム形式のビットデータ系列信号を出力するデジタル復調部と、前記デジタル復調部から受信信号に対する電力、ビットエラーレートおよびＣ／Ｎ比を求める電力換算部、ＢＥＲ換算部およびＣ／Ｎ換算部と、前記電力換算部、ＢＥＲ換算部およびＣ／Ｎ換算部の情報をもとにＲＦＡＧＣ部とＩＦＡＧＣ部への出力信号を制御する利得制御信号発生部で構成され、第一の受信特性情報はビットエラーレートであり、受信特性変化に影響するパラメータはＲＦＡＧＣ部からＩＦＡＧＣ部への制御対象ブロックの切り替えポイント設定値（以下、ＡＧＣディレイポイント設定値と呼ぶ）であり、第二の受信特性情報はＣ／Ｎ比情報であることを特徴とし、各チャンネルでの不要なＡＧＣ制御をなくし、チャンネルサーチ時間を短縮できるデジタル放送受信機を提供することができる。
【００１３】
本請求項３に記載のデジタル放送受信装置は、前記請求項１に記載のデジタル放送受信装置において、第一の利得制御信号により入力信号の利得を調整する第一の利得制御部（以下、ＲＦＡＧＣ部と呼ぶ）と、前記利得制御された信号から所望のチャンネル帯域信号を選択し第一中間周波数信号へ周波数変換する周波数変換部と、第二の利得制御信号により前記第一の中間周波数信号の利得調整する第二の利得制御部（以下、ＩＦＡＧＣ部と呼ぶ）を具備するチューナー部と、前記第二の利得制御部の出力信号を入力信号とし、アナログからデジタルへの変換の後、同期補足および復調しトランスポートストリーム形式のビットデータ系列信号を出力するデジタル復調部と、前記デジタル復調部から受信信号に対する電力、ビットエラーレートおよびＣ／Ｎ比を求める電力換算部、ＢＥＲ換算部およびＣ／Ｎ換算部と、前記電力換算部、ＢＥＲ換算部およびＣ／Ｎ換算部の情報をもとにＲＦＡＧＣ部とＩＦＡＧＣ部への出力信号を制御する利得制御信号発生部を具備し、更に前記デジタル復調部から伝送方式を判定する伝送方式判定部を具備し、第一の受信特性情報はビットエラーレートであり、受信特性変化に影響するパラメータはＲＦ／ＩＦＡＧＣ切り替えポイント設定値であり、第二の受信特性情報はＣ／Ｎ比情報であり、受信特性情報に対する閾値は伝送方式毎設定され、前記閾値は伝送情報の判定結果により決定されることを特徴とし、各チャンネルでの不要なＡＧＣ制御をなくし、チャンネルサーチ時間を短縮できるデジタル放送受信機を提供することができる。
【００１４】
本請求項４に記載のデジタル放送受信装置は、請求項１〜３に記載のデジタル放送受信装置において、受信環境に対して、受信特性変化に影響するパラメータを最適設定することで受信特性が正常復帰可能な第二の受信特性情報の値を、第二の受信特性情報に対する閾値とすることを特徴とし、各チャンネルでの不要なＡＧＣ制御をなくし、チャンネルサーチ時間を短縮できるデジタル放送受信機を提供することができる。
【００１５】
（実施の形態１）
以下に、本発明の請求項１、請求項２、および請求項４に記載された発明の実施形態について、図１、図３、図５を用いて説明する。
【００１６】
図１は本請求項のデジタル放送受信装置の構成図である。ＲＦ信号はチューナー１０２とデジタル復調部１１０を通して、ＴＳ信号へ戻される。チューナー部１０２はＲＦＡＧＣ部１０３と周波数変換部１０４とＩＦＡＧＣ部１０５から構成される。ＲＦＡＧＣ部１０３はＲＦＡＧＣ制御信号１３０により、入力されるＲＦ信号１０１の利得を制御し、周波数変換部１０４は周波数制御信号１３２により所望のチャンネル周波数帯域の信号をＩＦ周波数帯へ周波数変換し、ＩＦＡＧＣ部１０５はＩＦＡＧＣ制御信号１３１により入力されるＩＦ帯の信号の利得を調整する。またデジタル復調部１１０は、ＡＤ変換部１１３と直交検波部１１４と復調部１１５と誤り訂正部１１６から構成される。ＡＤ変換部１１３はアナログ信号を量子化して、直交変調されている信号からＩ軸信号とＱ軸信号とに分離する直交検波部１１４と信号レベルを検出する信号レベル検出部１２０へ接続される。直交検波部１１４は復調部へ接続され、デジタル変調された信号からビット系列のデジタルデータへ戻し、さらに誤り訂正部１１６で誤り訂正を行うことによりＴＳ信号を出力する。Ｃ／Ｎ比検出部１２１は復調部１１５のデータによりＣ／Ｎ比を検出し、誤り率検出部１２２は誤り訂正部１１６の信号を利用している。ＡＧＣディレイポイント１２３は信号レベル検出部１２０の信号と、Ｃ／Ｎ比検出部１２１の信号と、誤り訂正部１１６の信号により決定される。
【００１７】
チャンネル選局時のフローを、図２を用いて説明する。チャンネル選局ステップＳ１００は物理チャンネル設定をチューナーへ周波数制御信号として送り、選局動作を開始する。次にＢＥＲ判定Ｓ１０１として、たとえば映像が正常に表示される２ｅ−４の値で判定し、ＢＥＲが２ｅ−４より小さければ選局終了Ｓ１０８して、大きなレベルの隣接妨害などが存在する環境など、ＢＥＲが２ｅ−４より大きければ次のＣ／Ｎ比を判定Ｓ１０２へ移る。Ｃ／Ｎ比の設定値は、伝送方式により異なるが送られてくる変調方式の所要Ｃ／Ｎ比の１／２程度が適当である。例えば変調方式の所要Ｃ／Ｎ比が２０ｄＢであるとこの設定値は１０ｄＢとなる。Ｃ／Ｎ比判定Ｓ１０２では１０ｄＢ以下では選局終了Ｓ１０８し、１０ｄＢ以上であるとＡＧＣディレイポイントの制御ステートへ移る。ＡＧＣディレイポイントを小さい方向へ数ｄＢずつステップさせ、その都度ＢＥＲ判定Ｓ１０６を行い、２ｅ−４より小さければ選局終了で、２ｅ−４より大きければ、更にＡＧＣディレイポイントを変更Ｓ１０４する。そしてこのフローをＭ回（ここでは４回と設定）行い、受信性能の改善を図る。ここで、ＡＧＣディレイポイント変更に関して、図を用いて説明する。図５はチューナー入力レベルとＲＦＡＧＣ減推量およびＩＦＡＧＣ減推量についての関係を示す。チューナー入力レベルが小さいときはＩＦＡＧＣにより減衰し、ある入力レベル（このレベルをＡＧＣディレイポイントと呼んでいる）からＲＦＡＧＣによる減衰が始まっている。選局開始時は低雑音重視の設定としてＡＧＣディレイポイントを設定しているが、ＡＧＣディレイポイント設定を変更Ｓ１０４では図では左の方向へずらしていくことにより、高隣接妨害重視の設定にしていることがわかる。
【００１８】
具体的な受信環境を想定して動作を説明する。ＡＧＣディレイポイントに対する、所要Ｃ／Ｎ比と隣接妨害抑圧比が図６に示される性能である場合を想定して考える。ＡＧＣディレイポイントのデフォルト値は−６０ｄＢｍで、この時の所要Ｃ／Ｎ比は２０ｄＢ以下で低雑音特性を示す一方、隣接妨害抑圧比は−４０以下と歪特性に対しては悪い特性であり、ＡＧＣディレイポイントを低くすると低雑音特性が劣化、歪特性は良化する傾向を示す。Ｃ／Ｎ比判定Ｓ１０２で使用する設定は、図７のように、ＡＧＣディレイポイントのデフォルト値での隣接妨害の特性表により決定する。この受信機では、隣接妨害に対する実力は−４８ｄＢであることから、Ｃ／Ｎ比判定Ｓ１０２で使用する設定値は１２ｄＢを採用する。このように設定すると、例えば受信環境が隣接妨害−４６ｄＢの時には、Ｃ／Ｎ比が１４ｄＢであるので、ＡＧＣディレイポイント変更が行われ、この制御により性能改善が達成できる。一方、ＡＧＣディレイポイントを変更しても性能改善できないと分かっている隣接妨害が−５０ｄＢの受信環境においては、Ｃ／Ｎ比が１０ｄＢとなり、上記Ｃ／Ｎ比の制限によりＡＧＣディレイポイント変更の制御を行うことはない。
【００１９】
なお、Ｃ／Ｎ比の設定値は、伝送方式により異なり、送られてくる変調方式の所要Ｃ／Ｎ比の１／２程度が適当であるとしたが、これはあくまでも参考値であり最大の効果をだすには実機検証により値を選定することが望ましい。
【００２０】
なお、上記は１チャンネルの選局について取り上げているが、多数のチャンネルを連続に選局しながら各チャンネルの受信状況をチェックするチャンネルサーチ動作にも適応でき、選局の結果選択された設定値は内部メモリーに記憶することにより、次回の選局に使用することも可能である。
【００２１】
なお、上記は隣接妨害に対応する場合の、ＡＧＣディレイポイント値の変更による最適設定値を決定することを中心とした説明としたが、他の受信環境による性能劣化に対して変更することにより性能改善が見込めるパラメータにも適応することが可能である。例えば、ＯＦＤＭ方式を利用した地上デジタル放送の場合では、長い遅延波が存在する環境において、ＦＦＴ窓位置に関連するパラメータを最適化することにより性能改善が図れ、上記請求項の適応が可能である。
【００２２】
なお、上記ＡＧＣディレイポイントの変更と前記ＦＦＴ窓位置の変更など複数の調整項目がある場合にも適応可能である。
【００２３】
（実施の形態２）
以下に、本発明の請求項１、請求項３、および請求項４に記載された発明の実施形態について、図２、図４、図６を用いて説明する。
【００２４】
図２は本請求項のデジタル放送受信装置の構成図である。図１に対して、ＴＭＣＣ検出部１２４が追加されたのみであるので、詳細説明は省略する。ＴＭＣＣとは放送信号の変調情報などが多重された情報信号で、たとえば国内地上デジタル放送で採用されているＩＳＤＢ−Ｔ方式では、変調方式とその符号化レートなどである。
【００２５】
選局時のフローが図４に示しているが、図３をベースにしたフローで、変調パラメータ判定Ｓ１１０とＣ／Ｎ比閾値設定Ｓ１１１が追加されているだけである。Ｃ／Ｎ比閾値設定Ｓ１１１は前ステップの変調パラメータにより決定され、例えば図８のようなテーブルを事前に作成しておく必要がある。
【００２６】
また、各変調方式に対するＣ／Ｎ比の設定値は、送られてくる変調方式の所要Ｃ／Ｎ比の１／２程度が適当であるとしたが、これはあくまでも参考値であり最大の効果をだすには実機検証により値を選定することが望ましい。
【産業上の利用可能性】
【００２７】
本発明のデジタル放送受信装置は、チャンネル選局時、受信環境に対して、受信特性変化に影響するパラメータを最適設定されるように制御し、一方でその制御の発動を別の受信特性情報に対する閾値により判定することで、各チャンネルでの不要なＡＧＣ制御をなくし、チャンネルサーチ時間を短縮でき、デジタル放送受信機の選局やチャンネルサーチなどとして有用である。
【図面の簡単な説明】
【００２８】
【図１】本発明の実施の形態１における構成図
【図２】本発明の実施形態２における構成図
【図３】本発明の実施形態１におけるデジタル受信装置の制御フローチャート
【図４】本発明の実施形態２におけるデジタル受信装置の制御フローチャート
【図５】ＡＧＣディレイポイントの説明図
【図６】本発明の実施形態１における受信特性の一例を示す図
【図７】本発明の実施形態１における受信特性の一例を示す図
【図８】変調パラメータに対する閾値の参考図
【図９】従来技術の一例を示す構成図
【符号の説明】
【００２９】
１０１    ＲＦ信号
１０２    チューナー部
１０３    ＲＦＡＧＣ部
１０４    周波数変換部
１０５    ＩＦＡＧＣ部
１１０    デジタル復調部
１１２    ＴＳ信号
１１３    ＡＤ変換部
１１４    直交検波部
１１５    復調部
１１６    誤り訂正部
１２０    信号レベル検出部
１２１    Ｃ／Ｎ検出部
１２２    誤り率検出部
１２３    ＡＧＣディレイポイント
１２４    ＴＭＣＣ検出部
１３０    ＲＦＡＧＣ制御信号
１３１    ＩＦＡＧＣ制御信号
１３２    周波数制御信号
【図１】
2005130076.tif 000003
【図２】
2005130076.tif 000004
【図３】
2005130076.tif 000005
【図４】
2005130076.tif 000006
【図５】
2005130076.tif 000007
【図６】
2005130076.tif 000008
【図７】
2005130076.tif 000009
【図８】
2005130076.tif 000010
【図９】
2005130076.tif 000011